(57)【要約】      （修正有）【課題】安全性を向上できる携帯型送風装置を提供する。【解決手段】支持部３の支持により設置面上に設置されるとともに設置面に対して傾斜して対向する吸気面２ｂに開口する開口部２４と吸気面２ｂに隣接した上面２ｄに開口する吹出口７とを有する筐体と、筐体内に設けられて開口部２４と吹出口７とを連結する空気通路８と、空気通路８内に配される送風ファン１７とを備え、送風ファン１７の駆動によって開口部２４の一部または全部により形成される吸込口６から外気が空気通路８に流入し、送風ファン２７を通過して吹出口７から送出されるとともに、吸気面２ｂの内面側に沿って開口部２４と吹出口７とが送風ファン１７の外側で連通する。【選択図】図４
2011226346.tif 000002
【特許請求の範囲】
【請求項１】
支持部の支持により設置面上に設置されるとともに前記設置面に対して傾斜して対向する吸気面に開口する開口部と前記吸気面に隣接した上面に開口する吹出口とを有する筐体と、前記筐体内に設けられて前記開口部と前記吹出口とを連結する空気通路と、前記空気通路内に配される送風ファンとを備え、前記送風ファンの駆動によって前記開口部の一部または全部により形成される吸込口から外気が前記空気通路に流入し、前記送風ファンを通過して前記吹出口から送出されるとともに、前記吸気面の内面側に沿って前記開口部と前記吹出口とが前記送風ファンの外側で連通することを特徴とする携帯型送風装置。
【請求項２】
前記送風ファンと前記筐体の内面との間に形成した隙間によって前記開口部と前記吹出口とが連通することを特徴とする請求項１に記載の携帯型送風装置。
【請求項３】
前記開口部が複数の小孔により形成されるとともに、前記小孔に配されて塵埃を捕集するフィルターと、前記吸気面の内面側から突出して前記フィルターを配した前記小孔の一部を囲む環状リブとを設けたことを特徴とする請求項２に記載の携帯型送風装置。
【請求項４】
前記開口部が複数の小孔により形成されるとともに、前記吸気面の内面側から突出して上部の前記小孔と下部の前記小孔との間に前記空気通路の左右端にわたって配される遮蔽リブを設け、前記送風ファンの吸気側が前記遮蔽リブよりも下方に配されることを特徴とする請求項１に記載の携帯型送風装置。
【請求項５】
前記送風ファンを駆動する制御基板と前記開口部との間に前記送風ファンを配置したことを特徴とする請求項１〜請求項４のいずれかに記載の携帯型送風装置。
【請求項６】
前記吹出口が前記上面内で前記吸気面の方向に偏って設けられることを特徴とする請求項１〜請求項５のいずれかに記載の携帯型送風装置。
【請求項７】
前記筐体が薄箱状に形成されるとともに前記吸気面が前記筐体の厚み方向に対して直交する面を形成し、前記吹出口の開口面積が前記吸込口の開口面積よりも小さいことを特徴とする請求項１〜請求項６のいずれかに記載の携帯型送風装置。
【請求項８】
前記空気通路内にイオンを放出するイオン発生装置を設けたことを特徴とする請求項１〜請求項７のいずれかに記載の携帯型送風装置。
【発明の詳細な説明】
【技術分野】
【０００１】
本発明は、携帯可能な筐体内に送風ファンを備えた携帯型送風装置に関する。
【背景技術】
【０００２】
従来の携帯型送風装置は特許文献１に開示されている。この携帯型送風装置は携帯可能な薄箱状の筐体の背面に吸込口を開口し、前面に吹出口を開口する。筐体内には吸込口と吹出口とを連結する空気通路が設けられ、空気通路内に軸流ファンから成る送風ファンが配される。また、筐体の側面には回動自在のスタンドが設けられる。スタンドを回動して卓上の設置面に当接させると、スタンドの支持によって筐体を卓上に立設することができる。
【０００３】
スタンドにより筐体を卓上の設置面に立設した状態で送風ファンを駆動すると、吸込口から外気が空気通路内に流入する。この時、筐体の背面が設置面に対向して傾斜して配され、前面の吹出口から使用者の頭部等に向けて斜め上方に空気流が送出される。これにより、屋外や屋内で手軽に涼しさを得ることができる。
【先行技術文献】
【特許文献】
【０００４】
【特許文献１】特開２００８−５７５１９号公報（第１頁−第３頁、第１図）
【発明の概要】
【発明が解決しようとする課題】
【０００５】
しかしながら、上記従来の携帯型送風装置によると、携帯型送風装置を卓上に設置した際に卓上に配された飲料等を覆水すると、飲料等が前面の吹出口から筐体内に流入する。これにより、筐体内の電装部品が浸水する危険があり、携帯型送風装置の安全性が低い問題があった。
【０００６】
本発明は、安全性を向上できる携帯型送風装置を提供することを目的とする。
【課題を解決するための手段】
【０００７】
上記目的を達成するために本発明は、支持部の支持により設置面上に設置されるとともに前記設置面に対して傾斜して対向する吸気面に開口する開口部と前記吸気面に隣接した上面に開口する吹出口とを有する筐体と、前記筐体内に設けられて前記開口部と前記吹出口とを連結する空気通路と、前記空気通路内に配される送風ファンとを備え、前記送風ファンの駆動によって前記開口部の一部または全部により形成される吸込口から外気が前記空気通路に流入し、前記送風ファンを通過して前記吹出口から送出されるとともに、前記吸気面の内面側に沿って前記開口部と前記吹出口とが前記送風ファンの外側で連通することを特徴としている。
【０００８】
この構成によると、筐体が卓上の設置面に設置されると、開口部を開口する吸気面が設置面に対して傾斜して対向する。送風ファンが駆動されると開口部の一部または全部により形成される吸込口から外気が空気通路に流入する。空気通路を流通する空気は吸気面に隣接した上面に形成される吹出口から使用者の頭部等に向けて斜め上方に送出される。卓上に配された飲料等を覆水すると吸込口が下方に面するため吸込口からの浸水が防止される。また、吹出口から流入した飲料等は送風ファンの外側で吸気面の内面側の筐体内面に沿って流下し、開口部から排水される。
【０００９】
また本発明は、上記構成の携帯型送風装置において、前記送風ファンと前記筐体の内面との間に形成した隙間によって前記開口部と前記吹出口とが連通することを特徴としている。この構成によると、吹出口から流入した飲料等は吸気面の内面側の筐体内面に沿って隙間を介して流下し、開口部から排水される。
【００１０】
また本発明は、上記構成の携帯型送風装置において、前記開口部が複数の小孔により形成されるとともに、前記小孔に配されて塵埃を捕集するフィルターと、前記吸気面の内面側から突出して前記フィルターを配した前記小孔の一部を囲む環状リブとを設けたことを特徴としている。
【００１１】
この構成によると、送風ファンが駆動されると開口部の小孔により形成された吸込口から空気通路に外気が流入し、外気に含まれる塵埃がフィルターにより捕集される。また、吹出口から流入した飲料等は吸気面の内面側の筐体内面に沿って流下し、環状リブの周囲の小孔から排水される。この時、環状リブの内部の小孔に配されたフィルターが濡れることが防止される。
【００１２】
また本発明は、上記構成の携帯型送風装置において、前記開口部が複数の小孔により形成されるとともに、前記吸気面の内面側から突出して上部の前記小孔と下部の前記小孔との間に前記空気通路の左右端にわたって配される遮蔽リブを設け、前記送風ファンの吸気側が前記遮蔽リブよりも下方に配されることを特徴としている。
【００１３】
この構成によると、送風ファンが駆動されると遮蔽リブよりも下方の小孔により形成される吸込口から外気が空気通路に流入する。吹出口から流入した飲料等は吸気面の内面側の筐体内面に沿って流下して遮蔽リブにより遮られ、遮蔽リブよりも上方の小孔から排水される。
【００１４】
また本発明は、上記構成の携帯型送風装置において、前記送風ファンを駆動する制御基板と前記開口部との間に前記送風ファンを配置したことを特徴としている。
【００１５】
また本発明は、上記構成の携帯型送風装置において、前記吹出口が前記上面内で前記吸気面の方向に偏って設けられることを特徴としている。
【００１６】
また本発明は、上記構成の携帯型送風装置において、前記筐体が薄箱状に形成されるとともに前記吸気面が前記筐体の厚み方向に対して直交する面を形成し、前記吹出口の開口面積が前記吸込口の開口面積よりも小さいことを特徴としている。この構成によると、薄箱状の筐体の厚みを形成する上面に吸込口よりも開口面積の小さい吹出口が設けられる。
【００１７】
また本発明は、上記構成の携帯型送風装置において、前記空気通路内にイオンを放出するイオン発生装置を設けたことを特徴としている。この構成によると、送風ファンの駆動によって吹出口からイオンを含む空気が送出される。これにより、使用者の周囲の除菌等を行うことができる。
【発明の効果】
【００１８】
本発明によると、設置面に対して傾斜して対向する吸気面に吸込口を形成する開口部が開口して吸気面に隣接した上面に吹出口が開口し、吸気面の内面側に沿って開口部と吹出口とが送風ファンの外側で連通するので、卓上の飲料等を覆水した際に下方に面した吸込口からの浸水が防止されるとともに、吹出口から流入する飲料等が送風ファンの外側で吸気面の内面側の筐体内面に沿って流下して開口部から排水される。従って、筐体内の電装部品の浸水を防止し、携帯型送風装置の安全性を向上することができる。
【図面の簡単な説明】
【００１９】
【図１】本発明の第１実施形態の携帯型送風装置を正面から見た斜視図
【図２】本発明の第１実施形態の携帯型送風装置を背面から見た斜視図
【図３】本発明の第１実施形態の携帯型送風装置の分解斜視図
【図４】本発明の第１実施形態の携帯型送風装置の左側面断面図
【図５】本発明の第２実施形態の携帯型送風装置の背面パネルの斜視図
【図６】本発明の第３実施形態の携帯型送風装置の背面パネルの斜視図
【発明を実施するための形態】
【００２０】
以下に本発明の実施形態を図面を参照して説明する。図１は第１実施形態の携帯型送風装置を示す斜視図である。携帯型送風装置１は携帯可能な大きさに形成された正面視略矩形の薄箱状の筐体２を備えている。筐体２の厚み方向に対して直交する前面２ａには表示部４が設けられる。表示部４は液晶表示パネル等により形成され、携帯型送風装置１の動作状態等を表示する。
【００２１】
前面２ａに対向する背面２ｂ（吸気面）は筐体２の厚み方向に対して直交し、回動自在の蓋部３により覆われる。前面２ａ及び背面２ｂに隣接して筐体２の周面を形成する上面２ｄには吹出口７が開口し、一方の側面２ｃには電源スイッチ５が設けられる。吹出口７は背面２ｂの方向に偏って形成され、格子状のグリル７ａが設けられる。
【００２２】
図２は携帯型送風装置１を背面から見た斜視図であり、蓋部３を開いた状態を示している。蓋部３は吹出口７から離れた下端部で筐体２に枢支され、筐体２の背面２ｂにはマトリクス状に配された複数の小孔から成る開口部２４が開口する。開口部２４の全体が送風ファン１７の吸気口（不図示）に面し、外気の吸込口６を形成する。
【００２３】
蓋部３を開くと吸込口６が露出し、蓋部３を閉じると吸込口６が覆われる。また、蓋部３を開いた際に蓋部３の支持によって筐体２を卓上の設置面に立設して携帯送風装置１を設置することができる。従って、蓋部３は携帯送風装置１を設置面に設置する際に筐体２を支持する支持部を構成する。
【００２４】
蓋部３の内面にはマグネット９が設けられる。筐体２内には蓋部３を閉じた際にマグネット９に対向するホール素子やリードスイッチ等の磁力検知素子（不図示）が設けられる。磁力検知素子によりマグネット９の磁力を検知し、蓋部３の開閉を検知することができる。従って、マグネット９及び磁力検知素子は蓋部３の開閉を検知する開閉検知部を構成する。押しボタンスイッチ等により開閉検知部を構成してもよい。
【００２５】
図３は携帯型送風装置１の分解斜視図を示している。筐体２は背面２ｂを形成する背面パネル２ｆを有している。背面パネル２ｆは前面を開口して上面断面が断面コ字状に形成される。
【００２６】
背面パネル２ｆの前面の開口部は仕切パネル２２により覆われる。仕切パネル２２はネジ孔２２ａ（図４参照）に螺合するネジ（不図示）により背面パネル２ｆに取り付けられる。仕切パネル２２の前面には筐体２の前面２ａを形成する上面断面が断面コ字状の前面パネル２ｅが係着される。前面パネル２ｅ及び背面パネル２ｆの上部にはキャップ状の上部カバー２ｇが被嵌される。筐体２の側面は断面コ字状の前面パネル２ｅ及び背面パネル２ｆにより形成される。
【００２７】
仕切パネル２２によって筐体２内部の前面側上部には隔離室２２ｂが形成され、前面側下部には隔離室２２ｃが形成される。仕切パネル２２の背面側には携帯型送風装置１の制御回路を実装した制御基板１５が取り付けられる。制御基板１５には隔離室２２ｂ、２２ｃにそれぞれ臨む端子部１５ａが接続される。隔離室２２ｂ、２２ｃにそれぞれ収納されるイオン発生装置１８及びバッテリ１９は端子部１５ａを介して制御回路に接続される。また、制御基板１５と吸込口６との間には背面パネル２ｆにネジ止めされる送風ファン１７が設けられる。
【００２８】
図４は携帯型送風装置１の左側面断面図を示している。背面パネル２ｆ内には仕切パネル２２により前面が覆われて吸込口６と吹出口７とを連結する空気通路８が形成される。送風ファン１７はハウジング内に羽根車を有した遠心ファンから成り、空気通路８内に配される。
【００２９】
送風ファン１７のハウジングの軸方向に開口する吸気口（不図示）は吸込口６に対向して配され、周面に開口する排気口（不図示）が吹出口７の方向に向けて配される。送風ファン１７と背面パネル２ｆの内面との間には軸方向に所定量の隙間２５が設けられる。隙間２５によって吸込口６を形成する開口部２４と吹出口７とが送風ファン１７の外側で連通する。吸込口６には背面パネル２ｆの内面側に固着して塵埃を捕集するフィルター１６が設けられる。
【００３０】
尚、背面パネル２ｆの上部にはネックストラップを取り付ける取付孔２ｈが設けられ、携帯型送風装置１を使用者の首から吊り下げて携行することができる。
【００３１】
蓋部３はヒンジ機構１０により筐体２に枢支される。ヒンジ機構１０は第１シャフト１１、第２シャフト１２、ギヤ１３及び引っ張りバネ１４を備えている。第１シャフト１１は蓋部３と一体に設けられ、背面パネル２ｆに回転自在に支持される。第１シャフト１１により蓋部３の回動軸が形成される。
【００３２】
第２シャフト１２は背面パネル２ｆに設けたＵ字状の支持リブ１２ａ（図３参照）に支持され、第１シャフト１１の径方向に移動可能に配される。ギヤ１３は第１シャフト１１と一体に設けられ、中心角が９０゜よりも狭い範囲に複数の歯１３ａが形成される。ギヤ１３の隣接する歯１３ａ間に第２シャフト１２が配される。引っ張りバネ１４は第１シャフト１及び第２シャフト１２に両端が掛着され、第２シャフト１２をギヤ１３に押しつける方向に付勢する付勢手段を構成する。
【００３３】
蓋部３の回動により第１シャフト１１及びギヤ１３が一体に回動し、引っ張りバネ１４の付勢力に抗して第２シャフト１２がギヤ１３の歯先の方向に移動する。そして、歯１３ａ間を第２シャフト１２が周方向に相対移動し、筐体２に対して蓋部３を９０゜以下の所望の角度に配することができる。これにより、蓋部３を卓上の設置面上に置いた際に筐体２の背面２ｂ（吸気面）が設置面に対向して傾斜する。
【００３４】
蓋部３は閉じた際に背面パネル２ｆとの間に隙間（不図示）が形成される。該隙間は蓋部３の両側端面間にわたって設けられ、蓋部３を閉じた状態で外気が該隙間を介して吸込口６に流入可能になっている。また、蓋部３の内面には吸込口６に対向する部分に凹部３ａが設けられる。凹部３ａによって吸込口６に対向する隙間の大きさが吸込口６の周囲に対向する隙間の大きさよりも大きくなっている。
【００３５】
凹部３ａにより蓋部３の肉厚が薄くなるが、携帯型送風装置１の大型化を抑制できるとともに吸込口６の周囲に対向する部分の肉厚によって蓋部３の強度を確保することができる。尚、蓋部３の凹部３ａの背面側を突出させて肉厚を大きくし、蓋部３の強度を向上させてもよい。この時、蓋部３の突出が吸込口６に対向した一部であるため、携帯型送風装置１の大型化を抑制することができる。
【００３６】
隔離室２２ｂに配されるイオン発生装置１８は空気通路８に臨む複数の電極（不図示）を有している。電極には交流波形またはインパルス波形から成る電圧が印加される。一の電極には正電圧が印加され、電離により発生するイオンが空気中の水分と結合して主としてＨ+（Ｈ2Ｏ）ｍから成る電荷が正のクラスタイオンが形成される。他の電極には負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００３７】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。
【００３８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３９】
上記構成の携帯型送風装置１において、携帯型送風装置１は蓋部３を閉じた状態で携行される。蓋部３を所望の角度に開いて卓上の設置面上に置くと、蓋部３の支持により筐体２が卓上に立設される。電源スイッチ５が入れられると送風ファン１７及びイオン発生装置１８が駆動される。送風ファン１７の駆動によって矢印Ａ１（図４参照）に示すように吸込口６を介して空気通路８内に外気が流入する。この時、外気に含まれる塵埃がフィルター１６により捕集される。
【００４０】
空気通路８に流通した空気は送風ファン１７を通過して矢印Ａ２（図４参照）に示すように空気通路８内を流通し、イオン発生装置１８で発生したイオンが含まれる。そして、矢印Ａ３（図４参照）に示すように吹出口７から上方の使用者の頭部等に向けてプラスイオン及びマイナスイオンを含む空気流が送出される。これにより、屋外や屋内で手軽に涼しさを得ることができるとともに、使用者の周囲の除菌や臭い除去を行うことができる。
【００４１】
携帯型送風装置１を卓上の設置面に設置した際に卓上の飲料等を覆水すると、吸込口６が下方に面するため吸込口６からの浸水が防止される。また、吹出口７から流入した飲料等は送風ファン１７の外側の隙間２５を通って背面２ｂの内面側となる背面パネル２ｆの内面に沿って流下し、吸込口６を形成する開口部２４から排水される。従って、吸込口６は排水口を構成する。
【００４２】
また、携帯型送風装置１の携行時に蓋部３が閉じられると、吸込口６が蓋部３により覆われる。これにより、フィルター１６に付着した塵埃の脱落が防止され、周囲への塵埃の飛散や衣服への塵埃の付着を防止することができる。
【００４３】
携帯型送風装置１を使用者の首から吊り下げて携行した状態や把持した状態で電源スイッチ５が入れられると、蓋部３と背面パネル２ｆとの隙間を介して外気が吸込口６に導かれる。この時、蓋部３に設けた凹部３ａにより吸込口６に対向する部分の流路面積が吸込口６の周囲に対向する部分よりも大きくなる。従って、流量の減少を抑制することができる。
【００４４】
そして、イオンを含む空気流が上面２ｄに配される吹出口７から上方に向けて送出される。これにより、携帯型送風装置１の携行時においても涼しさを得ることができるとともに、使用者の周囲の除菌や臭い除去を行うことができる。
【００４５】
尚、電源スイッチ５には携帯型送風装置１をスリープ状態に設定するスリープ位置が設けられる。電源スイッチ５をスリープ位置に配すると、蓋部３の開閉に応じて送風ファン１７及びイオン発生装置１８が動作する。即ち、蓋部３が開いたことを開閉検知部により検知すると送風ファン１７及びイオン発生装置１８が駆動される。蓋部３が閉じたことを開閉検知部により検知すると送風ファン１７及びイオン発生装置１８が停止される。これにより、使用者が蓋部３を開いて卓上に携帯型送風装置１を設置すると吹出口７からイオンを含む空気流が送出され、電源スイッチ５の操作を省くことができる。
【００４６】
本実施形態によると、設置面に対して傾斜して対向する背面２ｂ（吸気面）に吸込口６を形成する開口部２４が開口して背面２ｂに隣接した上面２ｄに吹出口７が開口し、背面２ｂの内面側に沿って開口部２４と吹出口７とが送風ファン１７の外側で連通するので、卓上の飲料等を覆水した際に下方に面した吸込口６からの浸水が防止される。また、吹出口７から流入する飲料等が送風ファン１７の外側で筐体２の内面に沿って流下して開口部２４から排水される。従って、筐体２内の電装部品の浸水を防止し、携帯型送風装置１の安全性を向上することができる。
【００４７】
また、送風ファン１７と背面パネル２ｆの内面との間に形成した隙間２５によって開口部２４と吹出口７とが連通するので、簡単に送風ファン１７の外側で開口部２４と吹出口７とを連通させることができる。
【００４８】
また、送風ファン１７に接続される制御基板１５と開口部２４との間に送風ファン１７を配置したので、制御基板１５が吸気面を形成する背面２ｂに対して上方に配される。従って、制御基板１５の浸水をより確実に防止することができる。
【００４９】
また、吹出口７が筐体２の上面２ｄ内で背面２ｂの方向に偏って設けられるので、吹出口７から流入する飲料等を確実に筐体２の内面に沿って流下させることができる。従って、筐体２内の電装部品の浸水をより確実に防止することができる。
【００５０】
また、開口部２４を設けた背面２ｆが薄箱状に形成された筐体２の厚み方向に対して直交する面を形成し、吹出口７の開口面積が吸込口６の開口面積よりも小さいので、吹出口７から覆水した飲料等を入りにくくすることができる。従って、筐体２内の電装部品の浸水をより確実に防止することができる。
【００５１】
また、空気通路８内にイオンを放出するイオン発生装置１８を設けたので、使用者の周囲の除菌や臭い除去を行うことができる。
【００５２】
次に、図５は第２実施形態の携帯型送風装置１の背面パネル２ｆを示す斜視図である。説明の便宜上、前述の図１〜図４に示す第１実施形態と同様の部分には同一の符号を付している。本実施形態は背面パネル２ｆの内面に環状リブ２６及び遮蔽リブ２７が突設される。その他の部分は第１実施形態と同様である。
【００５３】
マトリクス状に配された複数の小孔から成る開口部２４全体により吸込口６が形成され、上部の小孔の周囲は環状の環状リブ２６により囲まれる。これにより、最下段の小孔が環状リブ２６の外側に配される。環状リブ２６は送風ファン１７（図４参照）と背面パネル２ｆの内面との隙間２５（図４参照）を横切り、送風ファン１７のハウジングに当接する。
【００５４】
遮蔽リブ２７は開口部２４の下方に配されて水平方向に延び、筐体２内に形成される空気通路８（図４参照）の左右端にわたって配される。尚、フィルター１６（図４参照）は分離され、環状リブ２６の内側の吸込口６及び外側の吸込口６にそれぞれ面して配される。
【００５５】
上記構成の携帯型送風装置１において、卓上の飲料等が覆水によって吹出口７から流入した際に、飲料等は背面２ｂの内面側となる背面パネル２ｆの内面に沿って流下する。背面パネル２ｆを流下する飲料等は送風ファン１７の外側で環状リブ２６の周囲を通り、遮蔽リブ２７により遮蔽される。そして、最下段に配された小孔が排水口を形成して該小孔から排水される。
【００５６】
これにより、環状リブ２６内のフィルター１６が濡れず、環状リブ２６の周囲に配された最下段の小孔に設けたフィルター１６のみが濡れる。従って、フィルター１６が浸水して目詰まりすることによる風量低下を抑制することができる。また、遮蔽リブ２７によって筐体２の下部の浸水が防止される。これにより、開口部２４に対向する送風ファン１７よりも下方に延びる制御基板１５（図４参照）の浸水をより確実に防止することができる。
【００５７】
本実施形態によると、第１実施形態と同様に、吹出口７から流入する飲料等が送風ファン１７の外側で筐体２の内面に沿って流下し、開口部２４の最下段の小孔から排水される。従って、筐体２内の電装部品の浸水を防止し、携帯型送風装置１の安全性を向上することができる。
【００５８】
また、開口部２４の一部の小孔の周囲を囲む環状リブ２６を設けたので、フィルター１６が浸水して目詰まりすることによる風量低下を抑制することができる。尚、開口部２４を形成する下部の小孔の周囲を環状リブ２６により囲み、上部の小孔により排水口を形成してもよい。
【００５９】
次に、図６は第３実施形態の携帯型送風装置１の背面パネル２ｆを示す斜視図である。説明の便宜上、前述の図１〜図４に示す第１実施形態と同様の部分には同一の符号を付している。本実施形態は背面パネル２ｆの内面に遮蔽リブ２８が突設される。その他の部分は第１実施形態と同様である。
【００６０】
マトリクス状に配された複数の小孔から成る開口部２４は最上段の小孔と上から二段目の小孔との間に遮蔽リブ２８が設けられる。遮蔽リブ２８は水平方向に延び、筐体２内に形成される空気通路８（図４参照）の左右端にわたって配される。送風ファン１７（図４参照）の吸気口は遮蔽リブ２８よりも下方に配され、開口部２４の遮蔽リブ２８よりも下方の小孔によって吸込口６が形成される。この時、送風ファン１７と背面パネル２ｆとの隙間２５（図４参照）を省き、送風ファン１７がフィルター１６を介して背面パネル２ｆに当接してもよい。
【００６１】
上記構成の携帯型送風装置１において、卓上の飲料等が覆水によって吹出口７から流入した際に、飲料等は背面２ｂの内面側となる背面パネル２ｆの内面に沿って流下する。背面パネル２ｆを流下する飲料等は送風ファン１７の外側で遮蔽リブ２８により遮蔽され、排水口を形成する最上段の小孔から排水される。
【００６２】
本実施形態によると、第１実施形態と同様に、吹出口７から流入する飲料等が送風ファン１７の外側で筐体２内面に沿って流下し、開口部２４の排水口を形成する最上段の小孔から排水される。従って、筐体２内の電装部品の浸水を防止し、携帯型送風装置１の安全性を向上することができる。
【００６３】
また、送風ファン１７の吸気側が遮蔽リブ２８よりも下方に配されるため、遮蔽リブ２８よりも下方の小孔によって吸込口６が形成される。従って、吸込口６に設けたフィルター１６が浸水して目詰まりすることによる風量低下を抑制することができる。
【００６４】
尚、遮蔽リブ２８は開口部２４の上部の小孔と下部の小孔との間に設けられていればよい。これにより、遮蔽リブ２８よりも上方の小孔によって排水口を形成し、遮蔽リブ２８よりも下方の小孔によって吸込口６を形成することができる。
【００６５】
また、排水口を形成する遮蔽リブ２８よりも上方の小孔が送風ファン１７の排気側に配されるため、送風ファン１７の駆動時に排水口からの空気漏れが発生し易くなる。このため、遮蔽リブ２８よりも上方の小孔の開口面積を吹出口７の開口面積よりも小さくすると、排水口からの空気漏れを抑制することができる。
【００６６】
第１〜第３実施形態において、イオン発生装置１８によってマイナスイオンのみを放出してもよい。これにより、使用者のリラクゼーション効果を得ることができる。
【産業上の利用可能性】
【００６７】
本発明によると、携帯可能な筐体内に送風ファンを備えた携帯型送風装置に利用することができる。
【符号の説明】
【００６８】
１    携帯型送風装置
２    筐体
２ｅ  前面パネル
２ｆ  背面パネル
２ｇ  上部カバー
３    蓋部
４    表示部
５    電源スイッチ
６    吸込口
７    吹出口
８    空気通路
９    マグネット
１０    ヒンジ機構
１１    第１シャフト
１２    第２シャフト
１３    ギヤ
１４    引っ張りバネ
１５    制御基板
１６    フィルター
１７    送風ファン
１８    イオン発生装置
１９    バッテリ
２２    仕切パネル
２４    開口部
２５    隙間
２６    環状リブ
２７、２８  遮蔽リブ
【図１】
2011226346.tif 000003
【図２】
2011226346.tif 000004
【図３】
2011226346.tif 000005
【図４】
2011226346.tif 000006
【図５】
2011226346.tif 000007
【図６】
2011226346.tif 000008